(57)【要約】【課題】ベニヤ板を利用した大型の内装用板材であっても、製造中或いは施工中に内部に収容した炭ボードの破損が可及的に抑止され、該炭ボードを、バインダーを使用しないか、炭の気孔による吸着効果等を殆ど減殺しない範囲内で形成して、炭の生活環境改善効果を最大限に発揮される建物内装用板材を提供する。【解決手段】一対の外側板５，６間に、該外側板５，６の４周を囲む薄板状のスペーサ８，９を介装し、一対の外側板５，６間でスペーサ８，９に囲まれた収容域１０の全面に、２つ以上に分割した炭ボード２，３，４を並べて収容すると共に、上記両外側板と炭ボードとの間に、炭ボードを全面的に覆う緩衝性及び通気性を有する不織布シート１１を介在させ、上記炭ボード２，３，４は、何れも該炭ボードの縦横辺長さの長寸側を他方側の２倍以下に形成する。【選択図】図１
2014070461.tif 000002
【特許請求の範囲】
【請求項１】
粉粒体状の炭を圧縮して矩形板状化した厚さ方向に通気性のある炭ボードと、炭ボードの表面と裏面とに配された一対の矩形のベニヤ板から成る外側板とを有し、上記外側板のうち少なくとも一方に厚さ方向に貫通する通気孔が多数穿設された建物内装用板材であって、
上記一対の外側板間には該外側板の４周を囲む薄板状のスペーサが介装され、該外側板間でこのスペーサに囲まれた収容域の全面に、少なくとも２つ以上に分割された炭ボードが並べて収容されると共に、上記両外側板と炭ボードとの間に、炭ボードを全面的に覆う緩衝性及び通気性を有する不織布シートが介在されており、
上記炭ボードは、何れも該炭ボードの縦横辺長さの長寸側が他方側の２倍以下に形成されている、
ことを特徴とする建物内装用板材。
【請求項２】
上記スペーサは、上記外側板の各辺に沿って個別に配された長尺な矩形板であって、上記外側板に対してその板面が重ねて配設され、ねじ・釘による取付対象への固定域を兼ねている、
ことを特徴とする請求項１に記載の建物内装用板材。
【請求項３】
上記炭が竹炭である、
ことを特徴とする請求項１又は２に記載の建物内装用板材。
【請求項４】
上記一対の矩形の外側板の縦横辺長さの比が２：１であり、上記炭ボードが長辺方向において複数に分割されている、
ことを特徴とする請求項１〜３に記載の建物内装用板材。
【発明の詳細な説明】
【技術分野】
【０００１】
本発明は、炭が有する吸臭性、調湿性、化学物質の吸着性、殺菌性、遮音性等を発揮させるようにした建物内装用板材に関するものである。
【背景技術】
【０００２】
従来から、竹炭や活性炭等の炭の粉粒体を圧縮し、これを板状化したものを壁材や天井材等の建物内装用の板材として用いることは、既に知られている（例えば、特許文献１参照）。
通常、炭を板状化してそれを建築物の壁材等として使用する場合に、そこで生活する人が直接に炭に触れて衣服を汚したり、人や他物が接触し、あるいは地震その他の振動で板状化した炭が破損したり、炭粉が散乱したりすることがないように、炭の粉粒体にそれらの接合強度を高めるためのバインダーを混入したうえで板状化しているが、その場合には該バインダーにより炭の粉粒体がそれぞれ有している膨大な数の気孔が少なからず閉鎖され、炭の生活環境改善効果を最大限に発揮させることができない。
しかしながら、バインダーの使用を少なくすると、炭の気孔による吸着効果等が増大するにしても、炭粉の離脱散乱が多くなり、また、その散乱等の抑制のために板状化した炭に被覆材を施すと、その形態によっては、竹炭の生活環境改善効果を最大限に発揮させることが困難になる。
【０００３】
一方、例えば、特許文献２に開示されているように、竹炭の粉粒体を圧縮して板状化した竹炭ボードを、多孔の押出成形されたアルミニウム製または合成樹脂製の型材から成るパネル枠に収容したものが既に知られている。この特許文献２に記載の竹炭パネルにおけるパネル枠３Ａを構成する表面板４は、背面側に竹炭ボード２を収容する凹溝５を備えて該凹溝の幅方向両側壁に取付対象物に対して固定又は支持させる支持部７を備えたものであり、この支持部７によって押出成形された型材の長手方向の湾曲を抑制しているので、竹炭の粉粒体を圧縮成形するに際して、接着剤的なバインダーを使用しないか、または、竹炭の気孔による吸着効果等を殆ど減殺しない範囲内のバインダーで竹炭ボード２を成形した場合であっても、パネル枠３Ａ内の竹炭パネルが湾曲により折損して竹炭粉末を飛散させるのを抑制でき、しかも、竹炭の生活環境改善効果を最大限に発揮させ得るものである。
【０００４】
しかしながら、上記特許文献２の竹炭パネルは、各種建物内装用等として使用できるにしても、その竹炭パネルの保持部材としてのパネル枠３Ａが、押出成形されたアルミニウム製又は合成樹脂製の型材により形成したものであるため、壁、天井等の広い面積に張設するのには適していないものであり、特に、広い面積に張設する場合には、製造及び施工のコスト及び手数が多大になるため、更に簡易に製造、施工できるような構成にする必要がある。
【０００５】
このような要求に適合する炭ボードの保持部材としては、大量に安価に製造・供給されているベニヤ板の利用が適しているが、このベニヤ板は、薄い板を積層して貼り合わせたものであるため、特にその面積が大きい場合には外力や自重で湾曲しやすく、この湾曲により、保持させようとする炭ボードが折損する可能性が大であるため、この点では上記炭ボードの保持部材として適するものではない。
【０００６】
ところで、上記ベニヤ板は、通常、３尺×６尺（ほぼ９０９ｍｍ×１８２０ｍｍ）という寸法を基準として供給され、建物はこの基準寸法のものが適合するように形成されている部分が多いことから、本発明の内装用板材においても、上記基準寸法乃至はそれを縦横に整数分割した形態にすることが望ましく、その場合、炭ボードをその内装用板材の寸法に合わせて大型化すると、製造中、或いは施工現場への運搬、施工現場での施工中における炭ボードの破損の抑止のための強度の確保という観点から、ある程度のバインダーの使用が必要になり、しかしながら、上述のように、炭の気孔が塞がれてしまうため、バインダーの使用を可及的に少なくしながら、炭ボードの破損をできるだけ少なくする配慮が必要になる。
【０００７】
なお、特許文献３には、炭粉をボード化しないで利用する建築物用内装壁材が開示されている。この場合には、炭粉をボード化しないために上記破損の問題はないが、例えば、天井材として使用する場合、炭粉が床に散乱する虞があるほか、これを防ぐ為の構成の付加が必要となり、また、上記基準寸法に合わせた比較的大型のものを量産するとなると、ボード化された場合に比べ、製造時に多大のコストと時間が掛かってしまい、製品の均一性を確保することにも困難性があるものと考えられる。
【先行技術文献】
【特許文献】
【０００８】
【特許文献１】特開２０００−１５８４１９号公報
【特許文献２】特開２０１１−４２９４２号公報
【特許文献３】特開２００１−１１５５７０号公報
【発明の概要】
【発明が解決しようとする課題】
【０００９】
本発明の技術的課題は、上記ベニヤ板を利用した大型の内装用板材であっても、製造中或いは施工中に内部に収容した炭ボードの破損が可及的に抑止され、該炭ボードを、バインダーを使用しないか、または、炭の気孔による吸着効果等を可及的に減殺しない範囲内で形成して、炭の生活環境改善効果が最大限に発揮されるようにした建物内装用板材を提供することにある。
【課題を解決するための手段】
【００１０】
上記課題を解決するため、本発明によれば、粉粒体状の炭を圧縮して矩形板状化した厚さ方向に通気性のある炭ボードと、炭ボードの表面と裏面とに配された一対の矩形のベニヤ板から成る外側板とを有し、上記外側板のうち少なくとも一方に厚さ方向に貫通する通気孔が多数穿設された建物内装用板材であって、上記一対の外側板間には該外側板の４周を囲む薄板状のスペーサが介装され、該外側板間でこのスペーサに囲まれた収容域の全面に、少なくとも２つ以上に分割された炭ボードが並べて収容されると共に、上記両外側板と炭ボードとの間に、炭ボードを全面的に覆う緩衝性及び通気性を有する不織布シートが介在されており、上記炭ボードは、何れも該炭ボードの縦横辺長さの長寸側が他方側の２倍以下に形成されていることを特徴とする建物内装用板材が提供される。
【００１１】
本発明に係る建物内装用板材の好ましい実施形態においては、上記スペーサは、上記外側板の各辺に沿って個別に配された長尺な矩形板であって、上記外側板に対してその板面が重ねて配設され、ねじ・釘による取付対象への固定域を兼ねているものとして構成される。上記炭ボードを構成する炭としては、生活環境改善効果において優れた竹炭を用いることが望まれる。
また、本発明に係る建物内装用板材の他の好ましい実施形態においては、上記一対の矩形の外側板の縦横辺長さの比が２：１であり、上記炭ボードが長辺方向において複数に分割されているものとして構成される。
【００１２】
上記構成を有する建物内装用板材においては、比較的外力や自重で湾曲しやすい一対のベニヤ板から成る外側板間に炭ボードを収容しているが、該炭ボードを、縦横辺長さの長寸側が他方側の２倍以下で、形態安定性が高い正方形に近い形状にしたところの複数に分割されたものとし、しかも、それらを緩衝性及び通気性を有する不織布シートを介して収容しているので、上記外側板が若干湾曲するようなことがあっても、分割した炭ボードが折損に至る可能性は非常に低く、そして、この内装用板材は、外側板の４周を囲む薄板状のスペーサ内の収容域の全面に炭ボードを並べて収容するという簡単な構成であるため、広い面積に張設するのに適した内装用板材を安価に提供することが可能になる。また、該炭ボードは、バインダーを使用しないか、または、炭の気孔による吸着効果等を殆ど減殺しない範囲内で形成して、炭の生活環境改善効果を最大限に発揮させることができる。
【発明の効果】
【００１３】
以上に詳述した本発明の建物内装用板材によれば、上記ベニヤ板を利用した大型の内装用板材であっても、製造中或いは施工中に内部に収容した炭ボードの破損が可及的に抑止され、該炭ボードを、バインダーを使用しないか、または、炭の気孔による吸着効果等を可及的に減殺しない範囲内で形成して、炭の生活環境改善効果が最大限に発揮されるようにした建物内装用板材を提供することができる。
【図面の簡単な説明】
【００１４】
【図１】本発明に係る建物内装用板材の一実施例を示す外観斜視図である。
【図２】図１のＡ−Ａ断面図である。
【図３】上記実施例の壁板材を分解して示す斜視図である。
【発明を実施するための形態】
【００１５】
以下、図面に基づき、本発明に係る建物内装用板材の実施の形態について詳細に説明する。
図示した建物内装用板材１では、粉粒体状の炭を圧縮して矩形板状化した厚さ方向に通気性のある複数の炭ボード２，３，４と、該炭ボード２，３，４の表面と裏面とに配された一対の矩形のベニヤ板から成る外側板５，６とを有している。該外側板５，６は、互いに同一の縦横寸法に形成されているが、これら一対の外側板５，６の縦横辺長さは、上記ベニヤ板の縦横の基準寸法〔３尺×６尺（ほぼ９０９ｍｍ×１８２０ｍｍ）〕の整数分の１とするのが望ましく、ここでは、外側板５，６の縦横辺長さの比を、１：２〔１．５尺×３尺（４５５ｍｍ×９０９ｍｍ）〕とした場合を示しているが、それに限るものではない。
【００１６】
また、上記外側板５，６には、それらの板面を厚さ方向に貫通する通気孔７が多数穿設されている。上記通気孔７は、上記外側板５，６の強度を損なわない範囲内の開口率で穿設されるが、該多数の通気孔７は、竹炭の有する吸着性等の効果が長期的に継続させるため、通気孔７全体の開口面積を比較的に小さく形成している。この建物内装用板材では、通気孔７の全体の開口面積が一枚の外側板の総面積の約３％〜１０％の範囲内に収まるのが望ましい。これにより、通気孔７が穿設された部分に位置する炭ボード２，３，４の竹炭で早期の脱臭、調湿が行われ、外側板５，６で覆われた部分の炭ボードの竹炭がじわじわ作用するので、該炭ボード２，３，４を構成する竹炭の効果が早期に衰えることを防止して、該炭ボード２，３，４が長期的に活用される。
【００１７】
上記一対の外側板５，６間には、該外側板５，６の４周を囲む薄板状のスペーサ８，９が介装され、図３に示すように、外側板５，６間でこのスペーサ８，９に囲まれた収容域１０に上記炭ボード２，３，４が収容されている。上記スペーサ８，９は、ベニヤ板により形成するのが望ましいが、押出成形した発泡合成樹脂板等によって形成することもできる。該スペーサ８，９は、上記外側板５，６の縦辺５ａ，６ａ及び横辺５ｂ，６ｂに沿って個別に配される長尺な矩形板とし、上記外側板５，６の縦横辺に適合させた長短２種の長さのものが該外側板５，６の板面に配されている。
【００１８】
また、該スペーサ８，９は、上記外側板５，６に対してその板面を重ねて配設されて、その内側に上記炭ボードの収容域１０が形成されており、該スペーサ８，９の配設部分が、取付対象である壁や天井等の建物躯体の下地へのねじ・釘による固定域を兼ねている。即ち、このスペーサの部分を利用して建物内装用板材１を所要の位置にねじや釘で固定できるような幅を、該スペーサに持たせている。上記スペーサ８，９は、板面が重ねられ外側板５，６の板面に対して所定幅が確保されていることから、ある程度、外観上からスペーサ８，９の位置が把握されるので、外側板５，６にスペーサ８，９の位置を示す罫引きを要することなく、そのまま固定作業することが可能である。
【００１９】
図２及び図３に示すように、上記両外側板５，６と炭ボード２，３，４との間には、該炭ボード２，３，４を全面的に覆う緩衝性及び通気性を有する不織布シート１１，１１を介在させている。この不織布シート１１は、上記収容域１０と同程度の大きさを有する一枚物のシートから成っているが、表面に上記緩衝性を高めるためのある程度の毛羽立ちがあることが望まれる。また、この不織布シート１１を炭ボード２，３，４の表裏面と外側板５，６との間に介在させることで、炭ボード２，３，４の竹炭の粉が上記外側板５，６に設けた通気孔７を通じて散乱するのが抑止されていると共に、該不織布シート１１，１１が、不織布の繊維の毛羽立ちにより外部からの衝撃を緩衝する緩衝層を兼ねている。
【００２０】
上記スペーサ８，９は、上述したように、外側板５，６と同様にベニヤ板で形成することもできるが、その厚さを、一対の外側板５，６の間に炭ボード２，３，４とそれらの両側の不織布シート１１が適度の挟持力で挟まれるようにする必要があり、つまり、その厚さを炭ボードの厚さとの関連で適切に設定する必要がある。その厚さ調整のため、図２及び図３においては、上記スペーサ８，９を寸法調整する上スペーサ８ａ，９ａと下スペーサ８ｂ，９ｂとの板厚方向の積層により形成し、収容域１０に収容される上記炭ボード２，３，４の板厚に合わせているが、これらは、両外側板５，６間の幅とそこに収容する炭ボードの厚さ及び上記不織布シート１１との関連において適宜調整すればよい。
【００２１】
上記炭ボード２，３，４は、竹炭を粉砕して粉粒体とし、それを数ｍｍ程度の厚さに、厚さ方向に通気性を持った平板状に圧縮成形したものである。図１及び図３に示すように、上記炭ボード２，３，４は、上記収容域１０の全面に嵌るように並べて収容したものであり、収容域１０の内部で炭ボード２，３，４が相互に移動しないようにしておく必要がある。図示の例では、それぞれ縦横寸法が略等しい３つの炭ボード２，３，４が上記収容域１０を三等分するように収容されている。
【００２２】
また、上記炭ボードは、何れも該炭ボードの縦横辺長さの長寸側が他方側に比べて極端に長いときには折損しやすく、それに対し、その長寸側を他方側に比べて２倍以下とし、平面視での形状をできるだけ正方形に近い形態に形成するのが折損を防止するために有効である。図示のように、外側板の縦横辺長さの寸法比が１：２の場合の収容域１０を三等分する上記炭ボード２，３，４は、縦辺５ａ，６ａに沿う辺が他方の辺よりやや長く形成されているので、該炭ボード２，３，４の形態安定性が良く、また、収容域１０に複数の炭ボード２，３，４が収容されるがゆえに、炭ボードの縦横寸法が小さく形成されることも相俟って、該炭ボード２，３，４には十分な保形強度が確保される。
【００２３】
上記構成を有する建物内装用板材１は、建物内の各部の内装材として使用できるが、一対の外側板５，６が多数の通気孔７を有しているので、それが不都合の場合には、室内側に配される該外側板に、通気性のある化粧シートや壁紙等の化粧材を貼着して使用することもできる。また、室内の壁の上部や天井板として使用すれば、上記多数の通気孔７の存在が問題になることはなく、むしろ、外側板５，６に穿設された多数の通気孔７によって音の反射方向をランダムにし、吸音作用を発揮させ、また、竹炭固有の吸着・吸湿等の効果も併せて発揮させることができる。
【００２４】
なお、本実施例では、一対の外側板５，６の何れにも通気孔７が穿設されているが、何れか一方側の外側板のみに穿設されていてもよい。この場合、上記通気孔７を有する外側板を室内側或いは室内側の何れに配するかについて、設置環境を考慮して適宜の向きに配される。
また、本実施例では、複数に分割された炭ボード２，３，４が、その縦横寸法をそれぞれ略等しく形成されて成っているが、縦横辺長さの長寸側が他方側の２倍以下に形成されていれば、互いに異なる縦横寸法で形成された炭ボードを収容域１０に並べても差し支えない。
【００２５】
以上、本発明に係る建物内装用板材１の実施形態について詳細に説明してきたが、本発明は上記各実施形態に限定されるものではなく、本発明の要旨を逸脱しない範囲において様々な設計変更が可能である。
【符号の説明】
【００２６】
１      建物内装用板材
２，３，４  炭ボード
５，６  外側板
７      通気孔
８，９  スペーサ
１０    収容域
１１    不織布シート
【図１】
2014070461.tif 000003
【図２】
2014070461.tif 000004
【図３】
2014070461.tif 000005